(57)【特許請求の範囲】
【請求項１】
マイコンにて制御されるチョッパー電源の出力を水平偏向回路の電源電圧とする方式のマルチシンクディスプレイ装置において、水平偏向パルスを整流してＤＣ電圧を出力する水平偏向パルス検出回路と、前記マイコンに設けられた入力端子と、電源投入後及び水平偏向周波数切り替え直後から前記チョッパー電源から出力される電圧が安定する迄の期間に前記マイコンから誤動作防止パルスを出力する誤動作防止パルス出力端子と、前記水平偏向パルス検出回路からのＤＣ電圧と前記マイコンの誤動作防止パルス出力端子から出力される誤動作防止パルスとの論理和をとる論理和回路とを備え、前記論理和回路から出力される信号を前記入力端子に入力して前記マイコンへフィードバックして前記水平偏向パルス検出回路からの出力電圧の異常を検出するとともに、電源投入時及び水平偏向周波数切り替え時に前記マイコンから出力される誤動作防止パルスにより、前記誤動作防止パルスが出力されている期間は、前記水平偏向回路が正常に動作しているときの信号が前記論理和回路から出力されるようにして、前記水平偏向パルス検出回路からの出力電圧が不安定な状態において検出された異常動作検出電圧が前記マイコンへフィードバックされないようにしたことを特徴とする水平偏向回路の異常動作検出回路。
【請求項２】
マイコンにて制御されるチョッパー電源の出力を水平偏向回路の電源電圧とする方式のマルチシンクディスプレイ装置において、前記水平偏向回路から出力される水平偏向パルスを検出するとともに検出パルスを整流してＤＣ電圧を出力する水平偏向パルス検出回路と、前記マイコンに設けられた入力端子と、前記マルチシンクディスプレイ装置の電源投入直後及び水平偏向周波数切り替え直後から前記チョッパー電源の出力電圧が安定する迄の期間に誤動作防止パルスが出力される前記マイコンの誤動作防止パルス出力端子と、前記水平偏向パルス検出回路からのＤＣ電圧と前記マイコンからの誤動作防止パルスとの論理和をとる論理和回路とを備え、前記誤動作防止パルス出力端子から誤動作防止パルスが出力されている期間は、前記水平偏向回路が正常に動作しているときに前記論理和回路から出力される信号を前記入力端子に入力して前記マイコンへフィードバックすることにより、前記水平偏向パルスが安定して出力される迄の一定期間において前記水平偏向パルス検出回路により検出された異常動作検出電圧が前記マイコンへフィードバックされないようにしたことを特徴とする水平偏向回路の異常動作検出回路。
【発明の詳細な説明】
【０００１】
【発明の属する技術分野】
本発明は、ＣＲＴを用い、マイコンで制御されるディスプレイ装置における異常動作検出回路に関するものである。
【０００２】
【従来の技術】
従来の技術を図３を用いて説明する。図３において、符号４は水平偏向出力回路、５は水平偏向パルス検出、整流回路、６は遅延用コンデンサーであり、水平偏向出力回路４で発生する水平偏向パルスを、水平偏向パルス検出、整流回路５にて分割整流し、この電圧をマイコンにフィードバックする事で、マイコンが水平偏向回路の異常の有無を認識できるようにしている。
【０００３】
【発明が解決しようとする課題】
この様に水平偏向パルスの有無を検出する方法では、電源投入後マイコンがリセットされてから制御を開始しチョッパー電源から安定した電圧が出力されて、規定値の水平偏向パルスが得られる迄の間、また、水平偏向周波数切り替え直後チョッパー電源が切り替え前の電圧から切り替え後の電圧に変動する過渡状態にある間、検出回路からの出力電圧は不安定状態であり、図３中の遅延コンデンサー６等で誤動作防止をしているが、連続的な電源のＯＮーＯＦＦの繰り返し等の不安定状態が継続するような場合マイコンでは、水平偏向回路の異常と誤認識してしまうという問題があった。
【０００４】
【課題を解決するための手段】
上記課題を解決するために、本発明の水平偏向回路の異常動作検出回路は、マイコンにて制御されるチョッパー電源の出力を水平偏向回路の電源電圧とする方式のマルチシンクディスプレイ装置において、水平偏向パルスを整流してＤＣ電圧を出力する水平偏向パルス検出回路と、前記マイコンに設けられた入力端子と、電源投入後及び水平偏向周波数切り替え直後から前記チョッパー電源から出力される電圧が安定する迄の期間に前記マイコンから誤動作防止パルスを出力する誤動作防止パルス出力端子と、前記水平偏向パルス検出回路からのＤＣ電圧と前記マイコンの誤動作防止パルス出力端子から出力される誤動作防止パルスとの論理和をとる論理和回路とを備え、前記論理和回路から出力される信号を前記入力端子に入力して前記マイコンへフィードバックして前記水平偏向パルス検出回路からの出力電圧の異常を検出するとともに、電源投入時及び水平偏向周波数切り替え時に前記マイコンから出力される誤動作防止パルスにより、前記誤動作防止パルスが出力されている期間は、前記水平偏向回路が正常に動作しているときの信号が前記論理和回路から出力されるようにして、前記水平偏向パルス検出回路からの出力電圧が不安定な状態において検出された異常動作検出電圧が前記マイコンへフィードバックされないようにしたことを特徴とするものである。
【０００５】
本発明によれば、水平偏向回路が不安定な状態にある、電源投入直後及び、水平周波数切り替え直後でも誤動作しない水平偏向回路の異常動作検出回路を提供できる。
【０００６】
【発明の実施の形態】
本発明の請求項１に記載の発明は、マイコンにて制御されるチョッパー電源の出力を水平偏向回路の電源電圧とする方式のマルチシンクディスプレイ装置において、水平偏向パルス検出回路からのＤＣ出力電圧と、前記マイコンからの誤動作防止パルスとの論理和をとることで、誤動作なく水平偏向回路の異常を検出することを特徴としたものであり、電源投入直後及び、水平偏向周波数切り替え直後、水平偏向回路が不安定動作になったときにおいても、誤動作防止パルスにより異常動作と誤認識しないことを実現しうるものである。
【０００７】
つぎに、本発明の請求項２に記載の発明は、水平偏向回路の水平偏向パルスを検出する回路と、前記検出回路の検出パルスを整流する回路により、水平偏向回路が正常に動作しているときにＤＣ電圧を出力する水平偏向パルス検出回路と、電源投入直後及び、水平偏向周波数切り替え直後の、水平偏向パルスが安定して出力する迄の一定期間、誤動作防止パルスを出力するマイコンと、前記水平偏向パルス検出回路の出力電圧と、前記マイコンからの誤動作防止パルスとの論理和をとり、この出力電圧をマイコンにフィードバックするＡＮＤ回路とにより、水平偏向回路の異常を誤動作なく検出する事を特徴としたものであり、電源投入直後及び、水平偏向周波数切り替え直後、水平偏向回路が不安定動作になったときにおいても、誤動作防止パルスにより異常動作と誤認識しないことを実現しうるものである。
【０００８】
【実施例】
以下に、本発明の一実施例における水平偏向回路の異常動作検出回路について図１、図２を用いて説明する。
【０００９】
（実施例）
図１は本発明の一実施例における水平偏向回路の異常動作検出回路の回路図である。
【００１０】
図１において、符号１は水平偏向出力回路、２は水平偏向パルス検出、整流回路、３はＡＮＤ回路であり、２の水平偏向パルス検出、整流回路の出力と、マイコンからの誤動作防止パルスとの論理和を３のＡＮＤ回路で、水平偏向回路正常時「Ｌ」、異常時「Ｈ」として出力し、マイコンにフィードバックしている。
【００１１】
図１の各部の電圧波形図を示す図２において、Ｖ１はチョッパー回路の出力電圧即ち、水平偏向回路の電源電圧、Ｖ２は水平偏向パルス、Ｖ３は水平偏向パルス検出、整流回路の出力電圧、Ｖ４はマイコンからの誤動作防止パルス、Ｖ５はマイコンへフィードバックされる異常動作検出波形である。
【００１２】
まず、電源投入Ｔ０後マイコンがＴ１にてリセットされてから、水平偏向パルスが規定値に達し、水平偏向パルス検出、整流回路の出力Ｖ３が安定する迄のＴ２の期間、マイコンから誤動作防止パルスＶ４は［Ｈ］を出力し、ＡＮＤ回路３の出力を強制的に「Ｌ」とし、Ｔ２の期間は実質上水平偏向回路異常検出を行わない様にする。
【００１３】
次に、水平偏向回路が十分に安定してからは、誤動作防止パルスＶ４は［Ｌ］を出力し、ＡＮＤ回路３の出力は水平偏向パルス検出、整流回路２に従うようになり、正常時は［Ｌ］を異常時は［Ｈ］を出力し、マイコンに異常有無の情報をフィードバックする。
【００１４】
尚、誤動作防止パルスＶ４は、電源投入直後や、水平偏向周波数切り替え直後等のＳＥＴ動作不安定時にマイコンから制御信号を出し、動作を制御する、ＶＩＤＥＯ  ＯＦＦ等の制御信号を流用する事でマイコンの機能追加なく実現することが可能となる。
【００１５】
【発明の効果】
このように、本発明の水平偏向回路の異常動作検出回路によれば、水平偏向回路の異常を誤動作なく行えるので、サービスマンが、瞬時に異常箇所をより詳細に特定するシステムを構築する事が可能となり、製品のサービス性を飛躍的に向上させることが可能となる。
【図面の簡単な説明】
【図１】本発明の一実施例における水平偏向回路の異常動作検出回路の回路図
【図２】図１の各部の電圧波形図
【図３】従来の水平偏向回路の異常動作検出回路の回路図
【符号の説明】
１  水平偏向出力回路
２  水平偏向パルス検出、整流回路
３  ＡＮＤ回路
【図１】
0003734908.tif 000002
【図２】
0003734908.tif 000003
【図３】
0003734908.tif 000004